(57)【要約】【課題】  容易にリアルタイムな状態の反映を行うことができ、多様化、詳細化した状態に対応可能とする。【解決手段】  ＲＦＩＤデータ管理サーバ３０の通信部３２が、移動機２０ａが無線タグ１０ａから近距離無線により受信したＲＦＩＤを受信する。制御部３３は、移動機２０ａが受信したＲＦＩＤに基づいてユーザの状態を決定する。【選択図】  図１
2008125099.tif 000002
【特許請求の範囲】
【請求項１】
移動機が無線通信装置から近距離無線により受信した無線情報を受信する無線情報受信手段と、
該無線情報受信手段が受信した無線情報に基づいて、前記移動機のユーザの状態を決定する状態決定手段と
を備えることを特徴とする状態決定装置。
【請求項２】
前記状態を記憶する状態管理装置に、該状態管理装置が記憶する状態を前記状態決定手段が決定した状態に更新するよう指示する更新指示手段を備えることを特徴とする請求項１に記載の状態決定装置。
【請求項３】
前記状態決定手段が決定した状態を、前記移動機に通知する状態通知手段を備えることを特徴とする請求項１又は２に記載の状態決定装置。
【請求項４】
前記状態通知手段は、前記状態に加えて、前記状態に関する詳細情報又は前記無線通信装置の設置者が提供する付加情報の少なくとも１つを前記移動機に提供することを特徴とする請求項３に記載の状態決定装置。
【請求項５】
前記状態決定手段が決定した状態に基づいて、前記移動機の動作モードを決定するモード決定手段と、
該モード決定手段が決定した動作モードで動作するよう前記移動機に指示するモード指示手段と
を備えることを特徴とする請求項１乃至４のいずれか１項に記載の状態決定装置。
【請求項６】
移動機のユーザの状態を記憶する状態記憶手段と、
該状態記憶手段が記憶する状態の更新の指示を、前記移動機が無線通信装置から近距離無線により受信した無線情報に基づいて前記状態を決定する状態決定装置から受信する更新指示受信手段と、
該更新指示受信手段が受信した更新の指示に基づいて、前記状態記憶手段を更新する更新手段と
を備えることを特徴とする状態管理装置。
【請求項７】
前記状態記憶手段が記憶する状態を前記移動機に通知する状態通知手段を備えることを特徴とする請求項６に記載の状態管理装置。
【請求項８】
無線通信装置から近距離無線により無線情報を受信する無線受信手段と、
該無線受信手段が受信した無線情報を、移動機のユーザの状態を決定する状態決定装置に通知する無線情報通知手段と、
前記状態決定装置が決定した状態を受信する状態受信手段と、
該状態受信手段が受信した状態を出力する出力手段と
を備えることを特徴とする移動機。
【請求項９】
前記状態受信手段は、前記状態決定装置から前記状態に基づく動作モードの指示を受信し、
前記状態受信手段が受信した動作モードの指示に基づいて、動作モードを制御するモード制御手段を備えることを特徴とする請求項８に記載の移動機。
【請求項１０】
前記状態受信手段が受信した状態に基づいて、動作モードを制御するモード制御手段を備えることを特徴とする請求項８に記載の移動機。
【請求項１１】
移動機が無線通信装置から近距離無線により受信した無線情報を受信する無線情報受信手段と、
該無線情報受信手段が受信した無線情報に基づいて、前記移動機のユーザの状態を決定する状態決定手段と
を備えることを特徴とする状態管理システム。
【請求項１２】
前記ユーザの状態を記憶する状態記憶手段と、
前記状態決定手段が決定した状態に基づいて、前記状態記憶手段を更新する更新手段と
を備えることを特徴とする請求項１１に記載の状態管理システム。
【請求項１３】
前記状態決定手段が決定した状態を、前記移動機に通知する状態通知手段を備えることを特徴とする請求項１１又は１２に記載の状態管理システム。
【請求項１４】
移動機が無線通信装置から近距離無線により受信した無線情報を受信し、
該受信した無線情報に基づいて、前記移動機のユーザの状態を決定することを特徴とする状態管理方法。
【請求項１５】
前記決定した状態に基づいて、前記ユーザの状態を記憶する状態記憶手段を更新することを特徴とする請求項１４に記載の状態管理方法。
【請求項１６】
前記決定した状態を、前記移動機に通知することを特徴とする請求項１４又は１５に記載の状態管理方法。
【発明の詳細な説明】
【技術分野】
【０００１】
本発明は、状態決定装置、状態管理装置、移動機、状態管理システム及び状態管理方法に関する。
【背景技術】
【０００２】
従来、加入者の状態を記憶しておき、発信側加入者に加入者状態を通知する加入者状態通知装置がある。加入者状態通知装置は、加入者からの状態登録信号に応じて加入者状態を登録する。加入者は、予め定められた状態を示す番号の中から、状態を選択して手動で設定した状態登録信号を送信する（例えば、「特許文献１」参照）。
【０００３】
又、インターネットでは、常にオンラインで友人の状態を表示したり、チャットしたりできるコミュニケーションツールとして、インスタントメッセージサービス（Instant  Messageサービス、以下「ＩＭサービス」という）が普及している。ＩＭサービスの利用は、携帯電話でも拡大している。携帯電話におけるＩＭサービスでは、予め用意された状態の中から、プルダウンなどによりユーザ自身が状態を手動で選択して設定する。インターネットにおけるＩＭサービスでも、一定時間キーボード入力がなければ「退席中」に変更するといった自動的に遷移する状態も一部あるが、基本的にはユーザが手動で状態を設定する。
【特許文献１】特開２０００−２３６３９１号公報
【発明の開示】
【発明が解決しようとする課題】
【０００４】
しかしながら、従来の加入者状態通知装置やＩＭサービスでは、ユーザが手動で状態設定を行う必要があった。そのため、ユーザは状態設定のための入力が面倒であり、又、逐一入力が必要なためにリアルタイムな状態の反映が困難であった。しかも、ユーザの状態が多様化、詳細化しているため、ユーザによる手動設定により、多様化、詳細化した状態に対応することが困難であった。
【０００５】
そこで、本発明は、容易にリアルタイムな状態の反映を行うことができ、多様化、詳細化した状態に対応できる状態決定装置、状態管理装置、移動機、状態管理システム及び状態管理方法を提供することを目的とする。
【課題を解決するための手段】
【０００６】
本発明に係る状態決定装置は、移動機が無線通信装置から近距離無線により受信した無線情報を受信する無線情報受信手段と、無線情報受信手段が受信した無線情報に基づいて、移動機のユーザの状態を決定する状態決定手段とを備えることを特徴とする。このような状態決定装置によれば、移動機が無線通信装置から近距離無線により受信した無線情報を受信し、受信した無線情報に基づいてユーザの状態を決定できる。そのため、ユーザは、状態を手動設定する必要がない。よって、容易にリアルタイムな状態の反映を行うことができ、多様化、詳細化した状態にも対応できる。
【０００７】
状態決定装置は、状態を記憶する状態管理装置に、状態管理装置が記憶する状態を、状態決定手段が決定した状態に更新するよう指示する更新指示手段を備えることが好ましい。これによれば、状態決定装置は、状態管理装置が記憶する状態を決定した状態に更新させることができる。
【０００８】
状態決定装置は、状態決定手段が決定した状態を、移動機に通知する状態通知手段を備えることが好ましい。これによれば、状態決定装置は、決定した状態を移動機に通知することができ、ユーザは、決定された状態を把握することができる。状態通知手段は、状態に加えて、状態に関する詳細情報又は無線通信装置の設置者が提供する付加情報の少なくとも１つを移動機に提供することが好ましい。これによれば、状態決定装置は、決定した状態だけでなく、詳細情報や付加情報を移動機に提供できる。状態決定装置が詳細情報を提供する場合には、ユーザは状態に関するより詳細な情報を把握することができる。状態決定装置が付加情報を提供する場合には、設置者に、設置者が望む付加情報をユーザに提供できるメリットを与えることができ、無線通信装置の設置を促すことができる。
【０００９】
更に、状態決定装置は、状態決定手段が決定した状態に基づいて、移動機の動作モードを決定するモード決定手段と、モード決定手段が決定した動作モードで動作するよう移動機に指示するモード指示手段とを備えることが好ましい。これによれば、状態決定装置は、決定した状態に基づいて移動機の動作モードを決定し、指示することができる。よって、状態決定装置は、ユーザの状態に応じて移動機の動作モードを制御できる。
【００１０】
本発明に係る状態管理装置は、移動機のユーザの状態を記憶する状態記憶手段と、状態記憶手段が記憶する状態の更新の指示を、移動機が無線通信装置から近距離無線により受信した無線情報に基づいて状態を決定する状態決定装置から受信する更新指示受信手段と、更新指示受信手段が受信した更新の指示に基づいて、状態記憶手段を更新する更新手段とを備えることを特徴とする。
【００１１】
このような状態管理装置によれば、状態を記憶して管理することができる。そして、状態管理装置は、状態決定装置から、移動機が無線通信装置から近距離無線により受信した無線情報に基づいて決定した状態の更新の指示を受信し、受信した指示に基づいて、状態記憶手段が記憶する状態を決定した状態に更新できる。そのため、ユーザが状態を手動設定しなくても、状態管理装置が記憶する状態が更新される。よって、ユーザは状態を手動設定する必要がなく、容易にリアルタイムな状態の反映を行うことができ、多様化、詳細化した状態にも対応できる。
【００１２】
状態管理装置は、状態記憶手段が記憶する状態を移動機に通知する状態通知手段を備えることが好ましい。これによれば、状態管理装置は、状態記憶手段に記憶された状態を移動機に通知できるため、ユーザは、状態決定装置が決定し、状態管理装置が記憶する状態を把握することができる。
【００１３】
本発明に係る移動機は、無線通信装置から近距離無線により無線情報を受信する無線受信手段と、無線受信手段が受信した無線情報を、移動機のユーザの状態を決定する状態決定装置に通知する無線情報通知手段と、状態決定装置が決定した状態を受信する状態受信手段と、状態受信手段が受信した状態を出力する出力手段とを備えることを特徴とする。
【００１４】
このような移動機によれば、無線通信装置から無線情報を近距離無線により受信し、状態決定装置に受信した無線情報を通知できる。そして、移動機は、状態決定装置が決定した状態を受信し、出力することができる。そのため、移動機が、無線情報を状態決定装置に通知するだけで、状態が決定される。そして、移動機が決定された状態を受信して出力することにより、ユーザは決定された状態を把握できる。よって、ユーザは状態を手動設定する必要がなく、容易にリアルタイムな状態の反映を行うことができ、多様化、詳細化した状態にも対応できる。
【００１５】
状態受信手段が、状態決定装置から状態に基づく動作モードの指示を受信し、移動機は、状態受信手段が受信した動作モードの指示に基づいて、動作モードを制御するモード制御手段を備えることが好ましい。これによれば、移動機は、状態決定装置からの状態に基づく動作モードの指示に従って、動作モードを制御できる。或いは、移動機は、状態受信手段が受信した状態に基づいて、動作モードを制御するモード制御手段を備えるようにしてもよい。これによれば、移動機は、決定されたユーザの状態に応じて動作モードを制御できる。
【００１６】
本発明に係る状態管理システムは、移動機が無線通信装置から近距離無線により受信した無線情報を受信する無線情報受信手段と、無線情報受信手段が受信した無線情報に基づいて、移動機のユーザの状態を決定する状態決定手段とを備えることを特徴とする。このような状態管理システムによれば、移動機が無線通信装置から近距離無線により受信した無線情報を受信し、受信した無線情報に基づいてユーザの状態を決定できる。そのため、ユーザは、状態を手動設定する必要がない。よって、容易にリアルタイムな状態の反映を行うことができ、多様化、詳細化した状態にも対応できる。
【００１７】
状態管理システムは、ユーザの状態を記憶する状態記憶手段と、状態決定手段が決定した状態に基づいて、状態記憶手段を更新する更新手段とを備えることが好ましい。これによれば、状態管理システムは、状態を記憶して管理することができ、状態記憶手段が記憶する状態を決定した状態に更新できる。
【００１８】
状態管理システムは、状態決定手段が決定した状態を、移動機に通知する状態通知手段を備えることが好ましい。これによれば、状態管理システムは、決定した状態を移動機に通知することができ、ユーザは、決定された状態を把握することができる。
【００１９】
本発明に係る状態管理方法は、移動機が無線通信装置から近距離無線により受信した無線情報を受信し、受信した無線情報に基づいて移動機のユーザの状態を決定することを特徴とする。状態管理方法では、決定した状態に基づいて、ユーザの状態を記憶する状態記憶手段を更新することが好ましい。又、状態管理方法では、決定した状態を移動機に通知することが好ましい。
【発明の効果】
【００２０】
以上説明したように、本発明によれば、容易にリアルタイムな状態の反映を行うことができ、多様化、詳細化した状態に対応できる状態決定装置、状態管理装置、移動機、状態管理システム及び状態管理方法を提供することができる。
【発明を実施するための最良の形態】
【００２１】
［第１の実施の形態］
〔状態管理システム〕
図１に示すように、状態管理システム１００は、無線タグ１０ａと、複数の移動機２０ａ〜２０ｃと、ＲＦＩＤデータ管理サーバ３０と、状態管理サーバ４０と、移動体ネットワーク５０とを備える。ＲＦＩＤデータ管理サーバ３０は、移動機２０ａ〜２０ｃのユーザの状態を決定する状態決定装置である。状態管理サーバ４０は、移動機２０ａ〜２０ｃのユーザの状態を記憶する状態管理装置である。
【００２２】
無線タグ１０ａは、移動機２０ａ〜２０ｃに無線情報を近距離無線により送信する無線通信装置である。無線情報とは、無線通信装置が近距離無線により送信する情報をいう。無線情報には、無線通信装置に付与され、無線通信装置を識別する無線通信装置識別データがある。無線タグ１０ａは、無線情報としてＲＦＩＤ（Radio  Frequency  Identification）のような無線通信装置識別データを送信する。又、近距離とは、移動通信における移動機と基地局との間の距離に比べて短い距離をいう。無線タグ１０ａは、無線タグ１０ａの設置対象物２ａに設置される。そして、無線タグ１０ａは、近距離無線により無線情報を送信できる無線タグ交信エリア３を形成する。無線タグ１０ａは、無線タグ交信エリア３に進入した移動機２０ａに、無線情報を送信する。このように、図１では、移動機２０ａが無線情報を受信可能な距離に位置する無線タグ１０ａが１つの場合を例にとって説明する。
【００２３】
無線タグ１０ａは、近距離無線により数メートルから数十メートルの交信が可能である。無線タグ１０ａの種類には、アクティブタグ、パッシブタグ、セミパッシブタグがある。アクティブタグは、無線タグ１０ａの方から無線情報を移動機２０ａ〜２０ｃに送信する。パッシブタグは、移動機２０ａ〜２０ｃから無線情報の要求信号を受信し、その要求信号に応じて無線情報を移動機２０ａ〜２０ｃに送信する。セミパッシブタグは、無線タグ１０ａの方から無線情報を移動機２０ａ〜２０ｃに送信し、かつ、移動機２０ａ〜２０ｃから要求信号を受信した場合には、その要求信号に応じて無線情報を移動機２０ａ〜２０ｃに送信する。無線タグ１０ａが近距離無線により交信可能な距離は種類によって異なる。例えば、アクティブタグは、５０メートル程度の交信が可能であり、パッシブタグやセミパッシブタグは、数メートルから十数メートルの交信が可能である。
【００２４】
無線通信装置は、移動機２０ａ〜２０ｃに無線情報を近距離無線により送信できるものであれば、無線タグ１０ａに限定されない。例えば、無線通信装置として、ＩｒＤＡやブルートゥース（Bluetooth、登録商標）を用いてもよい。ＩｒＤＡやブルートゥースも、ＩｒＤＡやブルートゥースに付与され、ＩｒＤＡやブルートゥースを識別するＩＤのような無線通信装置識別データを、無線情報として送信できる。
【００２５】
移動機２０ａは、タグリーダ２１と、通信部２２と、出力部２３と、入力部２４と、記憶部２５と、制御部２６とを備える。移動機２０ｂ，２０ｃも移動機２０ａと同様の構成を備える。
【００２６】
タグリーダ２１は、無線通信装置である無線タグ１０ａから近距離無線により無線情報を受信する無線受信手段である。タグリーダ２１は、無線タグ１０ａと近距離無線により数メートルから数十メートルの交信が可能である。移動機２０ａのユーザ１ａが、移動機２０ａを所持して無線タグ交信エリア３に進入することにより、移動機２０ａが無線タグ交信エリア３に進入する。そして、無線タグ１０ａがアクティブタグやセミパッシブタグの場合には、タグリーダ２１は、無線タグ１０ａから送信される無線情報を受信する。無線タグ１０ａがパッシブタグやセミパッシブタグの場合には、タグリーダ２１は、制御部２６から無線情報の要求信号を取得する。タグリーダ２１は、取得した要求信号を無線タグ１０ａに送信する。そして、タグリーダ２１は、要求信号を契機に送信される無線情報を受信する。
【００２７】
タグリーダ２１は、アクティブタグやセミパッシブタグと交信し、無線タグ１０ａの方から送信される無線情報を受信する場合には、無線情報を受信可能であればよい。タグリーダ２１は、パッシブタグやセミパッシブタグと交信し、無線タグ１０ａに要求信号を送信する場合には、要求信号を送信可能な必要がある。タグリーダ２１は、周期的に無線情報を受信する。タグリーダ２１は、受信した無線情報を制御部２６に入力する。図１では、タグリーダ２１は無線情報として、ＲＦＩＤ「ａｂｃｄ」を受信する。
【００２８】
通信部２２は、無線受信手段であるタグリーダ２１が受信した無線情報を、状態決定装置であるＲＦＩＤデータ管理サーバ３０に通知する無線情報通知手段である。通信部２２は、制御部２６から状態取得要求を取得する。状態取得要求には、移動機２０ａのユーザ１ａを識別するユーザ識別データと、タグリーダ２１が受信した無線情報が含まれる。通信部２２は、取得した状態取得要求を移動体ネットワーク５０を介してＲＦＩＤデータ管理サーバ３０に送信することにより、無線情報を通知する。ユーザ識別データとしては、電話番号や、移動機毎にユニークな移動機機体番号のようなユーザＩＤを用いることができる。図１では、通信部２２は、ユーザ１ａのユーザＩＤ「０９０−１２３４−５６７８」と、受信したＲＦＩＤ「ａｂｃｄ」を含む状態取得要求を送信する。
【００２９】
更に、通信部２２は、状態決定装置であるＲＦＩＤデータ管理サーバ３０が決定した状態を受信する状態受信手段としても機能する。通信部２２は、状態に加えて、詳細情報や、ＲＦＩＤデータ管理サーバ３０が提供する付加情報を受信する。詳細情報とは、状態に関する情報をいう。付加情報とは、無線通信装置の設置者である無線タグ設置者が、状態に加えて提供する情報である。通信部２２は、ＲＦＩＤデータ管理サーバ３０から、移動体ネットワーク５０を介して、状態取得要求に対する応答として状態取得応答を受信する。状態取得応答には、ＲＦＩＤデータ管理サーバ３０が決定したユーザ１ａ自身の状態、ＲＦＩＤデータ管理サーバ３０が記憶する詳細情報、付加情報が含まれる。図１では、通信部２２は、ユーザ１ａ自身の状態「食事中」、詳細情報「レストランＡ新宿店」、付加情報「メニューたくさん」を含む状態取得応答を受信する。
【００３０】
又、通信部２２は、状態管理サーバ４０から移動体ネットワーク５０を介して、ＲＦＩＤデータ管理サーバ３０が決定し、状態管理サーバ４０が記憶する状態、状態管理サーバ４０がＲＦＩＤデータ管理サーバ３０から取得した詳細情報、付加情報を、ユーザ１ａ及びユーザ１ａ以外の他のユーザについて受信する。通信部２２は、状態管理サーバ４０から自動的に送信される状態を受信する。通信部２２は、ユーザ識別データと対応付けられた状態を受信する。図１では、移動機２０ａの通信部２２は、移動機２０ｂのユーザのユーザＩＤ「０９０−２２３４−５６７８」に対応付けられて、状態「会議中」を受信する。
【００３１】
更に、通信部２２は、制御部２６から、状態の参照を要求する状態参照要求や、詳細情報や付加情報の参照を要求する詳細参照要求を取得する。通信部２２は、取得した状態参照要求や詳細参照要求を、移動体ネットワーク５０を介して状態管理サーバ４０に送信する。状態参照要求や詳細参照要求には、参照したいユーザのユーザ識別データが含まれる。そして、通信部２２は、状態参照要求に対する応答として状態参照応答を、詳細参照要求に対する応答として詳細参照応答を、状態管理サーバ４０から受信する。状態参照応答には、状態参照要求に含めたユーザ識別データが示すユーザの状態が含まれる。詳細参照応答には、詳細参照要求に含めたユーザ識別データが示すユーザの詳細情報、付加情報が含まれる。通信部２２は、受信した状態や詳細情報、付加情報を制御部２６に入力する。
【００３２】
出力部２３は、状態受信手段である通信部２２が受信した状態を出力する出力手段である。出力部２３は、通信部２２が受信した詳細情報や付加情報、記憶部２５が記憶する情報、入力部２４からの入力内容も出力する。出力部２３は、状態や情報、入力内容を、文字や画像、音声により出力する。出力部２３は、ディスプレイやスピーカーを用いることができる。
【００３３】
出力部２３は、制御部２６から状態や情報、入力内容を取得し、出力する。例えば、出力部２３は、図２（ａ）に示す出力部２３の画面のように、ユーザ１ａ自身とユーザ１ａが属するグループのメンバについて、各ユーザ名「しん、けん、とむ」、各ユーザの顔の画像、各ユーザの状態「食事中、会議中、暇」の一覧を制御部２６から取得し、表示できる。ユーザ１ａのユーザ名は「しん」であり、グループのメンバである移動機２０ｂのユーザのユーザ名は「けん」、移動機２０ｃのユーザのユーザ名は「とむ」である。出力部２３は、ユーザ１ａ自身が先頭に位置する一覧を表示する。更に、出力部２３は、図２（ｂ）に示す出力部２３の画面のように、１ユーザのユーザ名「しん」、顔の画像、状態「食事中」、詳細情報「レストランＡ新宿店」、ＲＦＩＤデータ管理サーバ３０が提供する付加情報「メニューたくさん」を制御部２６から取得し、表示できる。出力部２３は、詳細情報や付加情報を出力しなくてもよい。
【００３４】
入力部２４は、ユーザ１ａからの入力内容を取得し、制御部２６に入力する。入力部２４は、キーやマイクを用いることができる。例えば、ユーザ１ａが図２（ａ）、（ｂ）に示す出力部２３の画面上の更新ボタンをキー操作で選択することにより、入力部２４は状態の更新の指示を取得する。例えば、入力部２４は、図２（ａ）に示す一覧を表示した状態で更新ボタンが選択された場合には、一覧に含まれる全ユーザの状態の更新の指示を取得する。又、入力部２４は、図２（ｂ）に示す１ユーザについて表示した状態で更新ボタンが選択された場合には、表示されている１ユーザの状態の更新の指示を取得する。又、ユーザ１ａが状態を新たに参照したいユーザのユーザ識別データを入力することにより、入力部２４は状態参照の指示を取得する。更に、ユーザ１ａが図２（ａ）に示す出力部２３の画面上のユーザ名をキー操作で選択することにより、入力部２４は選択されたユーザの詳細情報と付加情報の参照の指示を取得できる。
【００３５】
記憶部２５は、ユーザ１ａ自身や他のユーザに関するユーザ情報、タグリーダ２１が受信した無線情報、通信部２２が受信した状態や詳細情報、付加情報を記憶する。記憶部２５は、ユーザ情報として、ユーザ識別データ、ユーザ名、ユーザの顔の画像を記憶する。記憶部２５は、ユーザ情報と、そのユーザに関する状態や詳細情報、付加情報を対応付けて記憶する。記憶部２５は、他のユーザに関するユーザ情報や状態や詳細情報、付加情報として、例えば、自身が属するグループのメンバの情報を記憶できる。
【００３６】
制御部２６は、移動機２０ａを制御する。制御部２６は、タグリーダ２１からタグリーダ２１が受信した無線情報を取得する。制御部２６は、無線タグ１０ａがパッシブタグやセミパッシブタグの場合には、無線情報の要求信号を生成してタグリーダ２１に入力する。制御部２６は、前回、タグリーダ２１が受信した無線情報を記憶部２５から取得する。制御部２６は、新たに受信した無線情報と、前回受信した無線情報とを比較する。制御部２６は、新たに受信した無線情報と、前回受信した無線情報とが一致せず、無線情報が変更されていることを検出した場合には、記憶部２５からユーザ１ａのユーザ識別データを取得する。そして、制御部２６は、ユーザ識別データと無線情報を含む状態取得要求を生成し、通信部２２に入力する。又、制御部２６は記憶部２５に新たに受信した無線情報を格納し、更新する。
【００３７】
一方、制御部２６は、新たに受信した無線情報と、前回受信した無線情報とが一致する場合には状態取得要求を生成せず、記憶部２５の更新も行わない。このように、制御部２６が無線情報の変更を検出した時にだけ状態取得要求を生成し、通信部２２が無線情報を通知することにより、トラヒックの増大を抑制することができる。
【００３８】
制御部２６は、通信部２２から、通信部２２が受信した状態や詳細情報、付加情報を取得する。制御部２６は、取得した状態や詳細情報、付加情報を、ユーザ情報に対応付けて記憶部２５に格納する。又、制御部２６は、通信部２２が受信した状態や詳細情報、付加情報を出力部２３に入力する。例えば、制御部２６は、記憶部２５から、ユーザ１ａ自身とユーザ１ａが属するグループのメンバについて、ユーザ名、顔の画像、状態を取得して、ユーザ名、顔の画像、状態の一覧を作成する。制御部２６は、作成した一覧を出力部２３に入力する。更に、制御部２６は、ユーザ１ａの指示に従って、１ユーザのユーザ名、顔の画像、状態、詳細情報、付加情報を記憶部２５から取得し、出力部２３に入力する。制御部２６は、設定により、詳細情報や付加情報を出力部２３に入力しないようにし、出力部２３に出力させないようにできる。
【００３９】
更に、制御部２６は、周期的に、又は、ユーザ１ａの指示に従って、状態参照要求や詳細参照要求を生成し、通信部２２に入力する。ユーザ１ａの指示には、参照したいユーザのユーザ識別データが含まれる。制御部２６は、例えば、新たに状態を参照したいユーザの状態参照の指示、既に状態を参照しているユーザの状態の更新の指示に従って、或いは、所定の周期に従って、状態参照要求を生成する。更に、制御部２６は、詳細情報と付加情報の参照の指示に従って、詳細参照要求を生成する。制御部２６は、ユーザ１ａの指示又は記憶部２５から、ユーザ識別データを取得し、ユーザ識別データを含む状態参照要求や詳細参照要求を生成する。制御部２６は、ユーザ１ａの指示を入力部２４から取得する。
【００４０】
ＲＦＩＤデータ管理サーバ３０は、ＲＦＩＤデータベース３１と、通信部３２と、制御部３３とを備える。ＲＦＩＤデータベース３１は、無線情報と、無線情報に対応する状態を記憶する対応関係記憶手段である。ＲＦＩＤデータベース３１は、状態に加えて、その状態の詳細情報、ＲＦＩＤデータ管理サーバ３０が提供する付加情報を、無線情報に対応付けて記憶することが好ましい。ＲＦＩＤデータベース３１は、無線情報によって、詳細情報、付加情報を省略できる。状態、詳細情報及び付加情報は、１つの無線情報について、期間、気温、天候のような無線情報以外の条件によって、更に詳細に設定できる。期間の単位は、時間、曜日、週、月、季節などを用いることができ、限定されない。ＲＦＩＤデータベース３１は、無線情報によって、状態、詳細情報、付加情報の無線情報以外の条件による詳細な設定を省略できる。
【００４１】
図１に示すＲＦＩＤデータベース３１では、無線情報としてＲＦＩＤを用い、無線情報以外の条件として時間帯を用いる。ＲＦＩＤデータベース３１は、ＲＦＩＤをキーとして、ＲＦＩＤに対応付けて、状態、詳細情報、付加情報を記憶する。更に、ＲＦＩＤデータベース３１は、ＲＦＩＤ毎に、各時間帯に対応付けて、状態、詳細情報、付加情報を記憶する。ＲＦＩＤデータベース３１は、無線情報によっては、時間帯毎の状態や詳細情報を設定しておらず、付加情報を設定していない。ＲＦＩＤデータベース３１は、無線タグ設置者により設定された無線情報、詳細情報、付加情報を記憶する。
【００４２】
通信部３２は、移動機２０ａ〜２０ｃが無線通信装置である無線タグ１０ａから近距離無線により受信した無線情報を受信する無線情報受信手段である。通信部３２は、ユーザ識別データと、移動機２０ａ〜２０ｃが受信した無線情報を含む状態取得要求を、移動体ネットワーク５０を介して移動機２０ａ〜２０ｃから受信する。通信部３２は、受信した状態取得要求を制御部３３に入力する。図１では、通信部３２は、移動機２０ａから、ユーザＩＤ「０９０−１２３４−５６７８」と、ＲＦＩＤ「ａｂｃｄ」を含む状態取得要求を受信する。
【００４３】
通信部３２は、決定した状態を移動機２０ａ〜２０ｃに通知する状態通知手段としても機能する。更に、通信部３２は、状態に加えて、詳細情報又は付加情報の少なくとも１つを移動機２０ａ〜２０ｃに提供する。通信部３２は、状態取得応答を制御部３３から取得する。状態取得応答には、状態取得要求を送信したユーザ自身の状態、その詳細情報、ＲＦＩＤデータ管理サーバ３０が提供する付加情報が含まれる。通信部３２は、取得した状態参照応答を、移動体ネットワーク５０を介して移動機２０ａ〜２０ｃに送信することにより、移動機２０ａ〜２０ｃに決定した状態を通知し、詳細情報や付加情報を提供する。図１では、通信部３２は、移動機２０ａに、状態「食事中」、詳細情報「レストランＡ新宿店」、付加情報「メニューたくさん」を含む状態取得応答を送信する。
【００４４】
更に、通信部３２は、状態管理サーバ４０に対する状態更新指示を制御部３３から取得し、移動体ネットワーク５０を介して状態管理サーバ４０に送信する。状態更新指示には、状態を決定したユーザのユーザ識別データと、決定した状態と、状態決定の基礎となった無線情報が含まれる。図１では、通信部３２は、移動機２０ａのユーザ１ａのユーザＩＤ「０９０−１２３４−５６７８」、ユーザ１ａの状態「食事中」、移動機２０ａが受信したＲＦＩＤ「ａｂｃｄ」を含む状態更新指示と、移動機２０ｂのユーザのユーザＩＤ「０９０−２２３４−５６７８」、移動機２０ｂのユーザの状態「会議中」、移動機２０ｂが受信したＲＦＩＤ「ｍｎｏｐ」を含む状態更新指示を送信する。
【００４５】
又、通信部３２は、状態管理サーバ４０から、詳細情報、付加情報の提供を要求する情報要求を受信する。情報要求には無線情報が含まれる。通信部３２は、受信した情報要求を制御部３３に入力する。そして、通信部３２は、制御部３３から、情報要求に対する応答として情報応答を取得し、状態管理サーバ４０に送信する。情報応答には、情報要求に含まれる無線情報に対応付けられている詳細情報、付加情報が含まれる。
【００４６】
制御部３３は、無線情報受信手段である通信部３２が受信した無線情報に基づいて、移動機２０ａ，２０ｂのユーザの状態を決定する状態決定手段である。制御部３３は、通信部３２から状態取得要求を取得する。制御部３３は、状態取得要求に含まれる無線情報と、期間、気温、天気などの無線情報以外の条件に基づいてＲＦＩＤデータベース３１を参照することにより、状態、詳細情報、付加情報を決定する。
【００４７】
具体的には、制御部３３は、取得したＲＦＩＤと時間に基づいてＲＦＩＤデータベース３１を参照し、ＲＦＩＤと時間帯に対応付けられている状態、詳細情報、付加情報を、そのユーザの状態、その詳細情報、提供する付加情報に決定する。図１では、制御部３３は、状態取得要求に含まれるＲＦＩＤが「ａｂｃｄ」であるため、時間が１０時であるとすると、状態を「食事中」、詳細情報を「レストランＡ新宿店」、付加情報を時間帯９時〜２１時の「メニューたくさん」に決定する。
【００４８】
又、状態取得要求に含まれるＲＦＩＤが同じ「ａｂｃｄ」の場合であっても、時間が２２時の場合には、制御部３３は、状態を「食事中」、詳細情報を「レストランＡ新宿店」、付加情報を時間帯２１時〜９時の「ワイン割引中」に決定する。又、状態取得要求に含まれるＲＦＩＤが「ｅｆｇｈ」の場合には、制御部３３は時間に関わらず、状態を「近くに人あり」、詳細情報を「けん」に決定する。同様に、状態取得要求に含まれるＲＦＩＤが「ｉｊｋｌ」の場合には、制御部３３は時間に関わらず、状態を「近くに人あり」、詳細情報を「とむ」に決定する。
【００４９】
このように、制御部３３は、移動機２０ａ〜２０ｃが無線タグ１０ａから無線情報を受信したことを契機として、無線情報を受信した移動機２０ａ〜２０ｃの状態を決定し、自動的に遷移させる。更に、制御部３３は、無線情報に加えて、期間、気温、天候などの無線情報以外の条件により状態や詳細情報、付加情報を決定することにより、同じ無線情報であっても無線情報以外の条件により状態や詳細情報、付加情報を変更できる。制御部３３は、決定した状態、詳細情報、付加情報を含む状態取得応答を生成し、通信部３２に入力する。
【００５０】
更に、制御部３３は、状態管理装置である状態管理サーバ４０に、状態管理サーバ４０が記憶する状態を状態決定手段である制御部３３が決定した状態に更新するよう指示する更新指示手段としても機能する。制御部３３は、状態管理サーバ４０に対する状態更新指示を生成して、更新を指示する。状態更新指示には、状態を決定したユーザのユーザ識別データと、決定した状態と、状態決定の基礎となった無線情報が含まれる。制御部３３は、移動機２０ａ〜２０ｃからの状態取得要求に含まれるユーザ識別データと無線情報を、状態更新指示に設定する。制御部３３は、生成した状態更新指示を通信部３２に入力する。
【００５１】
又、制御部３３は、通信部３２から、状態管理サーバ４０からの情報要求を取得する。制御部３３は、情報要求に含まれる無線情報に基づいて、ＲＦＩＤデータベースを参照し、無線情報に対応付けられている詳細情報、付加情報を取得する。制御部３３は、取得した詳細情報、付加情報を含む情報応答を生成し、通信部３２に入力する。
【００５２】
状態管理サーバ４０は、状態データベース４１と、通信部４２と、制御部４３と、課金部４４とを備える。状態データベース４１は、移動機２０ａ〜２０ｃのユーザの状態を記憶する状態記憶手段である。状態データベース４１は、ＲＦＩＤデータ管理サーバ３０の制御部３３が決定した状態を記憶する。状態データベース４１は、状態に加えて、状態決定の基礎となった無線情報、状態の通知先を記憶することが好ましい。状態データベース４１は、通知先として、例えば、各ユーザが属するグループのメンバのユーザ識別データを記憶することができる。状態データベース４１は、ユーザ識別データに対応付けて、状態、無線情報、通知先を記憶する。図１に示す状態データベース４１では、ユーザＩＤをキーとして、ユーザＩＤに対応付けて、状態、ＲＦＩＤ、通知先のユーザＩＤを記憶する。
【００５３】
通信部４２は、無線通信装置である無線タグ１０ａから移動機２０ａ〜２０ｃが近距離無線により受信した無線情報に基づいて状態を決定する状態決定装置であるＲＦＩＤデータ管理サーバ３０から、状態記憶手段である状態データベース４１が記憶する状態の更新の指示を受信する更新指示受信手段である。通信部４２は、移動体ネットワーク５０を介してＲＦＩＤデータ管理サーバ３０から、状態更新指示を受信する。通信部４２は、受信した状態更新指示を制御部４３に入力する。図１では、通信部４２は、ユーザ１ａのユーザＩＤ「０９０−１２３４−５６７８」、状態「食事中」、ＲＦＩＤ「ａｂｃｄ」を含む状態更新指示と、移動機２０ｂのユーザのユーザＩＤ「０９０−２２３４−５６７８」、状態「会議中」、ＲＦＩＤ「ｍｎｏｐ」を含む状態更新指示を受信する。
【００５４】
更に、通信部４２は、状態記憶手段である状態データベース４１が記憶する状態を移動機２０ａ〜２０ｃに通知する状態通知手段としても機能する。状態データベース４１は、ＲＦＩＤデータ管理サーバ３０の制御部３３が決定した状態を記憶する。そのため、通信部４２は、状態管理システム１００全体として見た場合には、制御部３３が決定した状態を通知することになる。通信部４２は、状態に加えて、詳細情報又は付加情報の少なくとも１つを移動機２０ａ〜２０ｃに提供することが好ましい。
【００５５】
まず、通信部４２は、状態データベース４１が記憶する状態が更新された際に、更新後の状態を移動機２０ａ〜２０ｃに通知する。通信部４２は、状態データベース４１において、状態が更新されたユーザのユーザＩＤに対応付けられている通知先に、状態を自動的に通知する。通信部４２は、制御部４３からユーザ識別データと対応付けられた状態を取得し、その通知先の指示を受ける。通信部４２は、指示された通知先の移動機２０ａ〜２０ｃに、取得した状態を送信する。図１では、通信部４２は、通知先の移動機２０ａに、ユーザＩＤ「０９０−２２３４−５６７８」に状態「会議中」を対応付けて送信する。通信部４２は、通知先の移動機２０ｂに、ユーザＩＤ「０９０−１２３４−５６７８」に状態「食事中」を対応付けて送信する。
【００５６】
更に、通信部４２は、移動機２０ａ〜２０ｃから状態参照要求を受信し、制御部４３に入力する。そして、通信部４２は、制御部４３から、状態参照要求に対する応答として状態を含む状態参照応答を取得し、移動機２０ａ〜２０ｃに送信する。更に、通信部４２は、移動機２０ａ〜２０ｃから詳細参照要求を受信し、制御部４３に入力する。通信部４２は、制御部４３からＲＦＩＤデータ管理サーバ３０への情報要求を取得し、ＲＦＩＤデータ管理サーバ３０に移動体ネットワーク５０を介して送信する。通信部４２は、ＲＦＩＤデータ管理サーバ３０から情報要求に対する応答として詳細情報、付加情報を含む情報応答を受信し、制御部４３に入力する。そして、通信部４２は、制御部４３から詳細参照要求に対する応答として詳細情報、付加情報を含む詳細参照応答を取得し、移動機２０ａ〜２０ｃに送信する。このようにして、通信部４２は、移動機２０〜２０ｃに状態を通知し、詳細情報や付加情報を提供する。
【００５７】
制御部４３は、更新指示受信手段である通信部４２が受信した更新の指示に基づいて、状態記憶手段である状態データベース４１を更新する更新手段である。制御部４３は、通信部４２から受信した状態更新指示を取得する。制御部４３は、状態更新指示に含まれるユーザ識別データに基づいて、状態データベース４１を検索する。そして、制御部４３は、状態更新指示に含まれるユーザ識別データに対応付けられている状態、無線情報を、状態更新指示に含まれている状態、無線情報に更新する。
【００５８】
状態更新指示には、ＲＦＩＤデータ管理サーバ３０の制御部３３が決定した状態が含まれている。そのため、制御部４３は、状態管理システム１００全体として見た場合には、制御部３３が決定した状態に基づいて、状態データベース４１を更新することになる。図１では、制御部４３は、ユーザＩＤ「０９０−１２３４−５６７８」に対応付けられている状態を「食事中」に、ＲＦＩＤを「ａｂｃｄ」に更新する。又、制御部４３は、ユーザＩＤ「０９０−２２３４−５６７８」に対応付けられている状態を「会議中」、ＲＦＩＤを「ｍｎｏｐ」に更新する。
【００５９】
制御部４３は、状態データベース４１が記憶する状態を更新した際に、移動機２０ａ〜２０ｃに状態を通知するように通信部４２を制御する。制御部４３は、状態を更新したユーザのユーザ識別データに基づいて状態データベース４１を参照し、ユーザ識別データに対応付けられている通知先のユーザ識別データを取得する。制御部４３は、状態を更新したユーザのユーザ識別データに対応付けて状態を通信部４２に入力し、状態データベース４１から取得した通知先に状態を送信するよう通信部４２に指示をする。
【００６０】
図１では、制御部４３は、通信部４２に、状態を更新した移動機２０ｂのユーザのユーザＩＤ「０９０−２２３４−５６７８」に状態「会議中」を対応付けて入力し、ユーザＩＤ「０９０−２２３４−５６７８」に対応付けられている通知先「０９０−１２３４−５６７８」の移動機２０ａに、状態を送信するよう指示する。又、制御部４３は、通信部４２に、状態を更新した移動機２０ａのユーザ１ａのユーザＩＤ「０９０−１２３４−５６７８」に状態「食事中」を対応付けて入力し、ユーザＩＤ「０９０−１２３４−５６７８」に対応付けられている通知先「０９０−２２３４−５６７８」の移動機２０ｂに、状態を送信するよう指示する。
【００６１】
又、制御部４３は、通信部４２から状態参照要求を取得する。制御部４３は、状態参照要求に含まれるユーザ識別データに基づいて、状態データベース４１を参照し、ユーザ識別データに対応付けられている状態を取得する。制御部４３は、取得した状態と、状態参照要求に含まれるユーザ識別データを含む状態参照応答を生成し、通信部４２に入力する。例えば、制御部４３は、ユーザＩＤ「０９０−１２３４−５６７８」を含む状態参照要求を取得した場合には、状態データベース４１を参照して、状態「食事中」を含む状態参照応答を生成する。
【００６２】
更に、制御部４３は、通信部４２から詳細参照要求を取得する。制御部４３は、詳細参照要求に含まれるユーザ識別データに基づいて、状態データベース４１を参照し、ユーザ識別データに対応付けられている無線情報を取得する。制御部４３は、取得した無線情報を含む情報要求を生成し、通信部４２に入力する。例えば、制御部４３は、ユーザＩＤ「０９０−１２３４−５６７８」を含む詳細参照要求を取得した場合には、状態データべース４１を参照してＲＦＩＤ「ａｂｃｄ」を含む情報要求を生成する。
【００６３】
そして、制御部４３は、情報要求に対する応答として、通信部４２から情報応答を取得する。制御部４３は、ＲＦＩＤ「ａｂｃｄ」を含む情報要求に対する応答として、詳細情報「レストランＡ新宿店」、付加情報「メニューたくさん」を含む情報応答を取得する。制御部４３は、取得した詳細情報、付加情報と、詳細参照要求に含まれるユーザ識別データを含む詳細参照応答を生成し、通信部４２に入力する。例えば、制御部４３は、ユーザＩＤ「０９０−１２３４−５６７８」を含む詳細参照要求を取得した場合には、情報要求を送信することにより、詳細情報「レストランＡ新宿店」、付加情報「メニューたくさん」を含む詳細参照応答を生成する。
【００６４】
制御部４３は、通信部４２が状態を移動機２０ａ〜２０ｃに通知する毎に、又、詳細情報、付加情報を移動機２０ａ〜２０ｃに提供する毎に、その移動機２０ａ〜２０ｃのユーザのユーザ識別データを課金部４４に入力する。更に、制御部４３は、提供する詳細情報、付加情報のデータ量や再生時間を、ユーザ識別データと対応付けて課金部４４に入力してもよい。制御部４３は、状態データベース４１の更新時に状態を通信部４２に入力した際や、状態参照応答や詳細参照応答を通信部４２に入力した際に、ユーザ識別データを課金部４４に入力すればよい。
【００６５】
課金部４４は、移動機２０ａ〜２０ｃへの課金処理を行う。課金部４４は、移動機２０ａ〜２０ｃを使用することにより発生する通信料やサービス利用料から、状態、詳細情報、付加情報を移動機２０ａ〜２０ｃが参照することによる割引を行って課金する。具体的には、課金部４４は、制御部４３から、通信部４２が状態を移動機２０ａ〜２０ｃに通知したり、詳細情報、付加情報を移動機２０ａ〜２０ｃに提供したりする度に、その移動機２０ａ〜２０ｃのユーザのユーザ識別データを取得する。そして、課金部４４は、ユーザ識別データ毎に、状態、詳細情報、付加情報の参照回数を累計する。又、課金部４４は、制御部４３から、提供する詳細情報、付加情報のデータ量や再生時間を取得した場合には、ユーザ識別データ毎にデータ量や再生時間を累計する。
【００６６】
課金部４４は、累計した状態、詳細情報、付加情報の参照回数やデータ量、再生時間に応じて割引料を計算する。課金部４４は、通信料やサービス料から割引料を減算した額を課金する。課金部４４は、状態、詳細情報、付加情報毎や、参照回数やデータ量、再生時間毎に割引率を変更してもよい。例えば、付加情報の参照による割引率を状態や詳細情報の参照による割引率よりも高く設定できる。又、付加情報の再生時間が長いほど、割引率を高く設定できる。
【００６７】
又、図３に示すように、移動機２０ａが無線情報を受信可能な距離に位置する無線タグ１０ａ〜１０ｃが複数存在する場合がある。図３では、図１に示した無線タグ１０ａに加えて、移動機２０ａが無線情報を近距離無線により受信可能な距離に、無線タグ１０ｂ，１０ｃが位置している。無線タグ１０ｂ，１０ｃはそれぞれ、ユーザ１ｂ，１ｃが所持する移動機２０ｂ，２０ｃに設置されている。無線タグ１０ｂ，１０ｃもそれぞれ無線タグ交信エリアを形成する。
【００６８】
この場合、移動機２０ａのタグリーダ２１は、無線タグ１０ａからＲＦＩＤ「ａｂｃｄ」を、無線タグ１０ｂからＲＦＩＤ「ｅｆｇｈ」を、無線タグ１０ｃからＲＦＩＤ「ｉｊｋｌ」を受信する。このように、移動機２０ａは、同時に複数の無線情報を受信できる。そして、移動機２０ａの制御部２６は、前回受信した無線情報と一致しない無線情報があり、無線情報が変更されていることを検出した場合には、ユーザ１ａのユーザＩＤ「０９０−１２３４−５６７８」と、受信した複数のＲＦＩＤ「ａｂｃｄ、ｅｆｇｈ、ｉｊｋｌ」を含む状態取得要求を生成する。そして、移動機２０ａの通信部２２がその状態取得要求を、ＲＦＩＤデータ管理サーバ３０に送信する。
【００６９】
ＲＦＩＤデータ管理サーバ３０の制御部３３は、移動機２０ａからの状態取得要求に含まれる複数の無線情報に基づいて、状態、詳細情報、付加情報を決定する。制御部３３は、時間が１０時であるとすると、取得したＲＦＩＤ「ａｂｃｄ」と時間に基づいてＲＦＩＤデータベース３１を参照し、ＲＦＩＤ「ａｂｃｄ」と時間帯９時〜２１時に対応付けられている状態「食事中」、詳細情報「レストランＡ新宿店」、付加情報「メニューたくさん」を、ユーザ１ａの状態、詳細情報、提供する付加情報の１つに決定する。又、制御部３３は、取得したＲＦＩＤ「ｅｆｇｈ」に基づいてＲＦＩＤデータベース３１を参照し、ＲＦＩＤ「ｅｆｇｈ」に対応付けられている状態「近くに人あり」、詳細情報「けん」を、ユーザ１ａの状態、詳細情報の１つに決定する。更に、制御部３３は、取得したＲＦＩＤ「ｉｊｋｌ」に基づいてＲＦＩＤデータベース３１を参照し、ＲＦＩＤ「ｉｊｋｌ」に対応付けられている状態「近くに人あり」、詳細情報「とむ」を、ユーザ１ａの状態、その詳細情報の１つに決定する。
【００７０】
そして、制御部３３は、各ＲＦＩＤに基づいて決定した状態を統合して、ユーザ１ａの状態を「食事中、近くに人あり」に決定する。又、制御部３３は、各ＲＦＩＤに基づいて決定した詳細情報を統合して、ユーザ１ａの詳細情報を「レストランＡ新宿店、けん、とむ」に決定する。付加情報については、ＲＦＩＤ「ａｂｃｄ」に基づいて決定した１つだけであるため、制御部３３は提供する付加情報を「メニューたくさん」に決定する。
【００７１】
このように、制御部３３は、複数の無線情報に基づいて状態、詳細情報、付加情報を決定する場合に、各無線情報から決定した状態、詳細情報、付加情報をそのまま全て組み合わせた状態、詳細情報、付加情報に決定できる。制御部３３は、各無線情報から決定した状態や詳細情報から、１つの状態や詳細情報を決定するようにしてもよい。例えば、制御部３３は、あるＲＦＩＤから詳細情報としてビル名を決定し、他のＲＦＩＤからそのビルに入居しているテナント名を決定した場合に、より下位概念のテナント名だけで状態の詳細が分かる場合には、詳細情報としてテナント名だけを決定してもよい。又、制御部３３は、各無線情報から決定した状態や詳細情報が矛盾する場合には、それらをそのまま全て組み合わせた状態、詳細情報に決定してもよく、制御部３３が、矛盾しない状態、詳細情報だけを選択し、組み合わせた状態、詳細情報に決定してもよい。
【００７２】
制御部３３は、複数の無線情報から決定した複数の状態、複数の詳細情報、付加情報を含む状態取得応答を生成する。通信部３２が生成した状態取得応答を移動機２０ａに送信する。移動機２０ａの通信部２２は、複数の状態、複数の詳細情報、付加情報を含む状態取得応答を受信する。出力部２３は、図４（ａ）に示す出力部２３の画面のように、ユーザ１ａ自身とユーザ１ａが属するグループのメンバについて、各ユーザ名「しん、けん、とむ」、各ユーザの顔の画像、各ユーザの状態「食事中・近くに人あり」の一覧を表示する。更に、出力部２３は、図４（ｂ）に示す出力部２３の画面のように、１ユーザのユーザ名「しん」、顔の画像、状態「食事中・近くに人あり」、詳細情報「レストランＡ新宿店、けん、とむ」を表示する。このように、移動機２０ａは、同時に複数の状態や詳細情報を受信し、出力できる。
【００７３】
又、ＲＦＩＤデータ管理サーバ３０の制御部３３は、移動機２０ａのユーザ１ａのユーザＩＤ「０９０−１２３４−５６７８」、複数の状態「食事中・近くに人あり」、複数のＲＦＩＤ「ａｂｃｄ、ｅｆｇｈ、ｉｊｋｌ」を含む状態更新指示と、移動機２０ｂのユーザ１ｂのユーザＩＤ「０９０−２２３４−５６７８」、複数の状態「食事中・近くに人あり」、複数のＲＦＩＤ「ａｂｃｄ、ｉｊｋｌ」を含む状態更新指示を生成する。通信部３２が状態管理サーバ４０に生成した状態更新指示を送信する。このように、ＲＦＩＤデータ管理サーバ３０は、複数の状態や無線情報の更新を指示できる。
【００７４】
状態更新指示を受信した状態管理サーバ４０の制御部４３は、ユーザＩＤ「０９０−１２３４−５６７８」に対応付けられている状態を「食事中・近くに人あり」に、ＲＦＩＤを「ａｂｃｄ、ｅｆｇｈ、ｉｊｋｌ」に更新する。又、制御部４３は、ユーザＩＤ「０９０−２２３４−５６７８」に対応付けられている状態を「食事中・近くに人あり」、ＲＦＩＤを「ａｂｃｄ、ｉｊｋｌ」に更新する。
【００７５】
そして、制御部４３は、通信部４２に、状態を更新したユーザ２ｂのユーザＩＤ「０９０−２２３４−５６７８」に状態「食事中・近くに人あり」を対応付けて入力し、ユーザＩＤ「０９０−２２３４−５６７８」に対応付けられている通知先「０９０−１２３４−５６７８」の移動機２０ａに、状態を送信するよう指示する。又、制御部４３は、通信部４２に、状態を更新したユーザ１ａのユーザＩＤ「０９０−１２３４−５６７８」に状態「食事中・近くに人あり」を対応付けて入力し、ユーザＩＤ「０９０−１２３４−５６７８」に対応付けられている通知先「０９０−２２３４−５６７８」の移動機２０ｂに、状態を送信するよう指示する。そして、通信部４２が移動機２０ａ，２０ｂに状態を送信して通知する。このように、状態管理サーバ４０は、複数の状態や無線情報を更新し、複数の状態を移動機２０ａ，２０ｂに通知できる。
【００７６】
〔状態、設置対象物、詳細情報、付加情報〕
次に、状態、詳細情報、付加情報、設置対象物について詳細に説明する。図５は、設定できる状態の種類と設置対象物との対応を示す表である。図５に示すように、ユーザの状態は、例えば、必需行動、拘束行動、自由行動、その他の大分類に分けて設定できる。更に、必需行動に分類される状態は、睡眠、食事中、身の回りの用事、療養・静養の中分類に分けて設定できる。中分類を更に細分化しない場合には、小分類と中分類は同じ状態を設定する。
【００７７】
拘束行動に分類される状態は、仕事関連、学業、家事、通勤・通学、社会参加の中分類に分けて設定できる。仕事関連に分類される状態は、更に、仕事、仕事の付き合いの小分類に細分化して設定できる。学業に分類される状態は、更に、授業・学内の活動、学校外の学習の小分類に細分化して設定できる。家事に分類される状態は、更に、炊事・洗濯・掃除、買い物中、子供の世話、家庭雑事の小分類に細分化して設定できる。
【００７８】
自由行動に分類される状態は、会話・交際、レジャー活動、マスメディア接触、休息の中分類に分けて設定できる。レジャー活動に分類される状態は、更に、スポーツ、行楽・散策、趣味・娯楽・教養の小分類に細分化して設定できる。マスメディア接触に分類される状態は、更に、テレビ・ビデオ、ラジオ、ＣＤ・テープ、新聞・雑誌・漫画・本の小分類に細分化して設定できる。
【００７９】
その他に分類される状態は、必需行動、拘束行動、自由行動のいずれにも分類できない状態である。その他に分類される状態は、近くに人あり、その他の２つの小分類に細分化して設定できる。尚、図５に示した状態の種類やその分類、設置対象物の分類はあくまで一例であり、状態の種類やその分類、設置対象物の分類は図５に限定されない。図５に示した状態以外にも、例えば、電車移動中、会議中、取り込み中、一時退席中、電話中、昼休み、暇、映画鑑賞中、複数人ありなどの状態を設定できる。
【００８０】
無線通信装置である無線タグは、あらゆる物に設置することができる。無線タグの設置対象物は、図５に示すように、場所を示すことができる物、移動手段、移動機の３つのカテゴリーに分類できる。場所を示すことができる物は、建物のように固定され、移動させることができないものだけでなく、例えば、机などのように移動させることができ、完全に固定されてはいないが、通常、会議室などの特定の場所に置かれ、その場所を示すことができるものも含まれる。場所を示すことができる物は、更に、場所として家庭を示すことができる物、学校・職場を示すことができる物、街中・店舗を示すことができる物に分類できる。
【００８１】
家庭を示すことができる物には、家の部屋の壁や、部屋に置かれる机など、家に存在するあらゆる物がある。学校・職場を示すことができる物には、教室の壁や、会議室に置かれるデスクなど、学校、職場に存在するあらゆる物がある。街中・店舗を示すことができる物には、レストランやデパート、駅に存在する物など、街中・店舗に存在するあらゆる物がある。移動手段には、電車、バス、飛行機などがある。
【００８２】
図５において、設置対象物の分類に対して斜線が引かれている状態は、その設置対象物に設置される無線タグが送信する無線情報に対応付けて設定できない状態である。例えば、睡眠という状態は、家庭を示すことができる物以外の設置対象物に対して、斜線が引かれている。そのため、移動手段に設置される無線タグの無線情報に対応付けて、睡眠という状態を設定することはできない。一方、家庭を示すことができる物、例えば、ベッドに設置される無線タグの無線情報であれば、それに対応付けて、睡眠という状態を設定できる。その他の状態は、例えば、３つのカテゴリーに分類できない設置対象物があった場合に、その設置対象物に設置される無線タグの無線情報に対応付けて設定できる。
【００８３】
無線タグ設置者は、図５に示す表から、設置対象物と、その設置対象物に設置する無線タグが送信する無線情報に対応付ける状態を選択する。そして、図６に示すように、ＲＦＩＤデータベース３１に、設置対象物に設置する無線タグのＲＦＩＤと、選択した状態が設定される。更に、図６に示すように、ＲＦＩＤデータベース３１に、時間帯、詳細情報、付加情報が設定される。時間帯は、９：００〜１７：００のような時刻の範囲や、朝、昼、夜のような範囲で設定することができる。
【００８４】
詳細情報は、状態に関する情報であり、状態をより詳細に説明する情報であるため、タグ設置者によって状態に無関係な情報が設定されないように、ＲＦＩＤデータベース３１に設定可能な情報は制限することが好ましい。例えば、ＲＦＩＤデータベース３１に設定可能な情報は、設定可能な詳細情報として、設置対象物が場所を示すことができる物の場合には場所の名称を、移動手段の場合には移動手段の名称を、移動機の場合にはその移動機のユーザ名に制限する。ユーザ名は、ユーザの本名であってもニックネームであってもよい。このように、詳細情報も、場所の名称、移動手段の名称、ユーザ名の３つのカテゴリーに分類できる。
【００８５】
付加情報は、無線タグ設置者が状態に加えて提供する情報である。付加情報は、タグ設置者が提供したい情報であれば何でもよく、状態や設置対象物に関係のある情報であっても、無関係な情報であっても構わない。付加情報には、広告情報や多くのユーザに周知させたい情報などがある。例えば、設置対象物がレストランの場合に、付加情報は、そのレストランに関係のあるレストランで行っているサービスに関する情報であってもよく、レストランに関係のない映画に関する情報であってもよい。タグ設置者が提供したい情報を自由に設定できるように、ＲＦＩＤデータベース３１には、付加情報をフリーメッセージで設定できるようにする。尚、図６に示した時間帯や付加情報の設定方法、状態の種類、詳細情報の分類はあくまで一例であり、時間帯や付加情報の設定方法、状態の種類、詳細情報の分類は図６に限定されない。
【００８６】
更に、無線タグの種類は、設置対象物や、無線情報に対応付ける状態や詳細情報に応じて選択することが好ましい。例えば、職場のデスクに設置される無線タグの無線情報に対応付ける状態が「着席中」の場合には、近距離無線により交信可能な距離がアクティブタグに比べて短いパッシブタグやセミパッシブタグを用いることが好ましい。これにより、ＲＦＩＤデータ管理サーバ３０は、実際にユーザがデスクに着席している時にその状態を着席中と決定できる。又、無線タグが移動機に設置される場合にも、パッシブタグやセミパッシブタグを用いることが好ましい。これにより、移動機は、ユーザ付近に存在する移動機からの無線情報だけを受信でき、離れた位置に存在する移動機からも無線情報を受信してしまうことを防止できる。反対に、デパートやレストラン、学校など、ある程度の広さを持つ設置対象物に無線タグを設置する場合には、近距離無線により交信可能な距離がパッシブタグなどに比べて長いアクティブタグを用いることが好ましい。
【００８７】
具体的な設置対象物と、その設置対象物に設置する無線タグの無線情報に対応付ける状態、詳細情報、付加情報、及び、状態や詳細情報の決定の例を、図７を用いて説明する。図７（ａ）に示すように、無線タグ１０ｄ，１０ｅは、バス２ｄや電車２ｅなどの移動手段に設置できる。無線タグ１０ｅの無線情報には状態として「電車移動中」、詳細情報として移動手段の名称「Ｂ線」が対応付けられる。更に、駅に設置される無線タグの無線情報に、詳細情報として場所の名称「自由が丘付近」が対応付けられているとする。これにより、ＲＦＩＤデータ管理サーバ３０の制御部３３は、状態を「電車移動中」、詳細情報を「Ｂ線、自由が丘付近」に決定でき、移動機２０ａの出力部２３が決定した状態と詳細情報を出力できる。このように、制御部３３は、移動手段に設置された無線タグと、場所を示す物に設置された無線タグからの無線情報を組み合わせて、移動手段の名称と、位置を示すことが可能な場所の名称を組み合わせた詳細情報を決定できる。
【００８８】
図７（ｂ）に示すように、無線タグ１０ｆ，１０ｇは、学校２ｆや会議室２ｇなどの学校・職場を示すことができる物に設置できる。無線タグ１０ｇの無線情報には状態として「会議中」、詳細情報として場所の名称「２−１１２会議室、ＹＲＰ２棟」が対応付けられる。これにより、ＲＦＩＤデータ管理サーバ３０の制御部３３は、状態を「会議中」、詳細情報を「２−１１２会議室、ＹＲＰ２棟」に決定でき、移動機２０ａの出力部２３が決定した状態と詳細情報を出力できる。
【００８９】
図７（ｃ）、（ｄ）に示すように、無線タグ１０ｈ，１０ｉは、レストラン２ｈやデパート２ｉなどの街中・店舗を示すことができる物に設置できる。無線タグ１０ｈの無線情報には状態として「食事中」、詳細情報として場所の名称「カフェＣ、代官山」が対応付けられる。これにより、ＲＦＩＤデータ管理サーバ３０の制御部３３は、状態を「食事中」、詳細情報を「カフェＣ、代官山」に決定でき、移動機２０ａの出力部２３が決定した状態と詳細情報を出力できる。
【００９０】
無線タグ１０ｉの無線情報には状態として「買い物中」、詳細情報として場所の名称「デパートＤ、×△ショップ」、付加情報として広告情報「最新ジュエリー多数あり」が対応付けられる。これにより、ＲＦＩＤデータ管理サーバ３０の制御部３３は、状態を「買い物中」、詳細情報を「デパートＤ、×△ショップ」、付加情報を「最新ジュエリー多数あり」に決定でき、移動機２０ａの出力部２３が決定した状態と詳細情報を出力できる。
【００９１】
尚、ＲＦＩＤデータベース３１は、階層的な無線情報に対応付けて状態や詳細情報を記憶してもよい。例えば、上位の無線情報に、中位の無線情報、更に下位の無線情報を対応付け、各無線情報とその状態や詳細情報を対応付ける。そして、制御部３３は、下位の無線情報に基づいて、下位の無線情報に対応付けられている状態や詳細情報に加えて、その上位、中位の無線情報に対応付けられている状態や詳細情報も、そのユーザの状態や詳細情報に決定できる。
【００９２】
この方法を用いた場合、図７（ｂ）に示す例では、制御部３３は、無線タグ１０ｇが送信する下位の無線情報に基づいて、下位の無線情報に対応付けられている詳細情報「２−１１２会議室」と、その上位の無線情報に対応付けられている詳細情報「ＹＲＰ２棟」を、詳細情報に決定することができる。又、図７（ｃ）に示す例では、制御部３３は、無線タグ１０ｈが送信する下位の無線情報に基づいて、下位の無線情報に対応付けられている詳細情報「カフェＣ」と、その上位の無線情報に対応付けられている詳細情報「代官山」を、詳細情報に決定することができる。又、図７（ｄ）に示す例では、制御部３３は、無線タグ１０ｉが送信する下位の無線情報に基づいて、下位の無線情報に対応付けられている詳細情報「×△ショップ」と、その上位の無線情報に対応付けられている詳細情報「デパートＤ」を、詳細情報に決定することができる。
【００９３】
図７（ｅ）に示すように、無線タグ１０ｊ〜１０ｍは、移動機２ｊ〜２ｍに設置できる。無線タグ１０ｊ〜１０ｍの無線情報には状態として「近くに人あり」、詳細情報として各移動機２ｊ〜２ｍのユーザ名「Ａさん、Ｂさん、Ｃさん、Ｄさん」が対応付けられる。更に、移動機２ｊ〜２ｍのユーザがいる部屋に設置される無線タグの無線情報に、状態として「会議中」、詳細情報として場所の名称「ＹＲＰ食堂」を対応付けられているとする。
【００９４】
ＲＦＩＤデータ管理サーバ３０の制御部３３は、無線タグ１０ｊ〜１０ｍの無線情報に基づいて、各無線情報に基づく各状態を「近くに人あり」に決定する。制御部３３は、各無線情報に基づいて決定した状態に「近くに人あり」が複数ある場合には、これらの各状態を統合して「複数人あり」という状態を決定してもよい。その結果、制御部３３は、状態を「会議中、複数人あり」、詳細情報を「ＹＲＰ食堂、周りの人：Ａさん、Ｂさん、Ｃさん、Ｄさん」に決定でき、移動機２０ａの出力部２３が決定した状態と詳細情報を出力できる。
【００９５】
尚、制御部３３は、複数の無線情報に基づいて詳細情報を決定する場合に、各無線情報から決定した詳細情報のうち、各カテゴリーの詳細情報を１つだけ決定し、異なるカテゴリーの詳細情報であれば複数決定してもよく、同じカテゴリーの詳細情報であれば複数決定しないようにしてもよい。更に、各無線情報から決定した詳細情報が場所の名称であり、複数の場所の名称が決定される場合には、全ての場所を詳細情報として決定してもよく、それらの中で最も大きな範囲や所定の基準よりも大きな範囲を示す場所の名称を詳細情報として決定してもよい。
【００９６】
〔ユーザ、タグ設置者、通信事業者〕
次に、ユーザ、タグ設置者、通信事業者の関係について、図８を用いて説明する。無線タグ設置者は、移動機２０ａを使用するユーザ１ａに対し、設置対象物２ａに無線タグ１０ａを設置して無線情報を提供することにより、ユーザ１ａの状態決定や詳細情報決定に寄与する。更に、無線タグ設置者は、付加情報をユーザ１ａに提供する。無線タグ設置者は、広告料を通信事業者に支払うことにより、ＲＦＩＤデータ管理サーバ３０に付加情報を設定させてもらい、付加情報を移動機２０ａに提供してもらう。
【００９７】
オペレータやサービスプロバイダのような通信事業者は、ＲＦＩＤデータ管理サーバ３０や状態管理サーバ４０を設置する。通信事業者は、無線タグ設置者から広告料を取得することにより、付加情報をＲＦＩＤデータ管理サーバ３０に設定し、移動機２０ａに提供する。更に、通信事業者は、ユーザ１ａが支払う通信料やサービス料に対して、状態、詳細情報、付加情報を移動機２０ａが参照することによる割引を行う。
【００９８】
〔状態管理方法〕
図１に示した状態管理システム１００を用いて行う状態管理方法の手順について説明する。まず、図９に示すように、無線タグ１０ａがパッシブタグやセミパッシブタグの場合、移動機２０ａは無線情報の要求信号を無線タグ１０ａに送信してＲＦＩＤを要求する（Ｓ１０１）。無線タグ１０ａは、要求信号に応じて、ＲＦＩＤを移動機２０ａに近距離無線により送信する（Ｓ１０２）。尚、無線タグ１０ａがアクティブタグやセミパッシブタグであり、移動機２０ａが要求信号を送信しない場合には、ステップ（Ｓ１０１）は省略できる。
【００９９】
ＲＦＩＤを受信した移動機２０ａは、ＲＦＩＤの変更を検出すると（Ｓ１０３）、状態取得要求をＲＦＩＤデータ管理サーバ３０に送信して、受信したＲＦＩＤを通知する（Ｓ１０４）。ＲＦＩＤデータ管理サーバ３０は、受信した状態取得要求に含まれるＲＦＩＤに基づいて、移動機２０ａのユーザ１ａの状態を決定する（Ｓ１０５）。ＲＦＩＤデータ管理サーバ３０は、状態管理サーバ４０に状態更新指示を送信することにより、新たに決定した状態への更新を指示する（Ｓ１０６）。
【０１００】
状態更新指示を受信した状態管理サーバ４０は、状態更新指示に基づいて、状態データベース４１が記憶するユーザ１ａの状態を、新たに決定した状態に更新する（Ｓ１０７）。状態管理サーバ４０は、Ａｃｋ（Acknowledge、肯定応答）をＲＦＩＤデータ管理サーバ３０に送信して、更新の完了をＲＦＩＤデータ管理サーバ３０に通知する（Ｓ１０８）。
【０１０１】
Ａｃｋを受信したＲＦＩＤデータ管理サーバ３０は、状態取得応答を移動機２０ａに送信して、決定した状態を通知し、決定した詳細情報や付加情報を提供する（Ｓ１０９）。状態取得応答を受信した移動機２０ａは、状態取得応答に含まれる状態、詳細情報、付加情報を出力部２３に表示する（Ｓ１１０）。更に、ユーザ１ａの状態を更新した状態管理サーバ４０は、ユーザ１ａの状態の通知先である移動機２０ｂに、更新したユーザ１ａの状態を通知する（Ｓ１１１）。移動機２０ｂは、通知された更新後のユーザ１ａの状態を出力部２３に表示する（Ｓ１１２）。
【０１０２】
又、図１０に示すように、移動機２０ａは、他のユーザの状態の参照を要求する状態参照要求を状態管理サーバ４０に送信する（Ｓ２０１）。状態管理サーバ４０は、状態参照要求に含まれるユーザＩＤに基づいて状態データベース４１から状態を取得する。状態管理サーバ４０は、取得した状態を含む状態参照応答を移動機２０ａに送信して、他のユーザの状態を通知する（Ｓ２０２）。移動機２０ａは、通知された他のユーザの状態を出力部２３に表示する（Ｓ２０３）。
【０１０３】
移動機２０ａのユーザ１ａは、他のユーザについて詳細情報や付加情報を知りたい場合には、詳細参照要求を状態管理サーバ４０に送信する（S２０４）。状態管理サーバ４０は、詳細参照要求に含まれるユーザＩＤに基づいて状態データベース４１からＲＦＩＤを取得する。状態管理サーバ４０は、取得したＲＦＩＤを含む情報要求をＲＦＩＤデータ管理サーバ３０に送信する（Ｓ２０５）。ＲＦＩＤデータ管理サーバ３０は、情報要求に含まれるＲＦＩＤに基づいてＲＦＩＤデータベース３１から詳細情報、付加情報を取得する。ＲＦＩＤデータ管理サーバ３０は、取得した詳細情報、付加情報を含む情報応答を状態管理サーバ４０に送信する（Ｓ２０６）。情報応答を受信した状態管理サーバ４０は、情報応答に含まれる詳細情報、付加情報を含む詳細参照応答を移動機２０ａに送信して、詳細情報、付加情報を提供する（Ｓ２０７）。移動機２０ａは、提供された他のユーザの詳細情報、付加情報を出力部２３に表示する（Ｓ２０８）。
【０１０４】
〔効果〕
このような状態管理システム１００、ＲＦＩＤデータ管理サーバ３０、状態管理方法によれば、ＲＦＩＤデータ管理サーバ３０が、移動機２０ａ〜２０ｃが無線タグ１０ａ〜１０ｃから受信したＲＦＩＤを受信し、受信したＲＦＩＤに基づいてユーザの状態を決定できる。そのため、ユーザは、状態を手動設定する必要がなく、移動機２０ａ〜２０ｃが無線タグ１０ａ〜１０ｃから無線情報を受信することにより、状態が自動的に遷移される。よって、ユーザは面倒な手動設定から解放される。そして、容易にリアルタイムな状態の反映を行うことができ、多様化、詳細化した状態にも対応できる。
【０１０５】
特に、無線情報に対応付けられる状態や詳細情報をＲＦＩＤデータベース３１が記憶することや、状態や詳細情報を、１つの無線情報について、期間、気温、天候のような無線情報以外の条件によって、更に詳細に設定できることにより、多様化、詳細化した状態にも、容易に、細やかに対応することができる。
【０１０６】
又、ＲＦＩＤデータ管理サーバ３０の制御部３３は、状態管理サーバ４０に、状態管理サーバ４０が記憶する状態を、決定した状態に更新するよう指示する。そのため、ＲＦＩＤデータ管理サーバ３０は、状態管理サーバ４０が記憶する状態を決定した状態に更新させることができる。
【０１０７】
更に、ＲＦＩＤデータ管理サーバ３０は、制御部３３が決定した状態を、移動機２０ａ〜２０ｃに通知する通信部３２を備える。そのため、ＲＦＩＤデータ管理サーバ３０は、決定した状態を移動機２０ａ〜２０ｃに通知することができ、ユーザは、ユーザ自身や他のユーザの決定された状態を把握することができる。
【０１０８】
通信部３２は、状態に加えて、詳細情報や付加情報を移動機２０ａ〜２０ｃに提供する。そのため、ＲＦＩＤデータ管理サーバ３０が詳細情報を提供することにより、ユーザは状態に関するより詳細な情報を把握することができる。又、ＲＦＩＤデータ管理サーバ３０が付加情報を提供することにより、タグ設置者に、タグ設置者が望む広告情報などの付加情報をユーザに提供できるメリットを与えることができ、無線タグの設置を促すことができる。そのため、無線タグの普及をスムーズに行うことができる。
【０１０９】
又、状態管理サーバ４０によれば、状態を記憶して管理することができる。そして、状態管理サーバ４０は、ＲＦＩＤデータ管理サーバ３０から、移動機２０ａ〜２０ｃが無線タグ１０ａ〜１０ｃから受信した無線情報に基づいて決定した状態の更新の指示を受信し、受信した指示に基づいて、状態データベース４１が記憶する状態を決定した状態に更新できる。そのため、ユーザが状態を手動設定しなくても、状態管理サーバ４０が記憶する状態が更新される。よって、ユーザは状態を手動設定する必要がなく、容易にリアルタイムな状態の反映を行うことができ、多様化、詳細化した状態にも対応できる。
【０１１０】
更に、状態管理サーバ４０は、状態データベース４１が記憶する状態を移動機２０ａ〜２０ｃに通知する通信部４２を備える。そのため、状態管理サーバ４０は、状態データベース４１に記憶された状態を移動機に通知でき、ユーザは、ＲＦＩＤデータ管理サーバ３０が決定し、状態管理サーバ４０が記憶する状態を把握することができる。
【０１１１】
又、移動機２０ａ〜２０ｃによれば、無線タグ１０ａ〜１０ｃから無線情報を受信し、ＲＦＩＤデータ管理サーバ３０に受信した無線情報を通知できる。そして、移動機２０ａ〜２０ｃは、ＲＦＩＤデータ管理サーバ３０が決定した状態を受信し、出力することができる。そのため、移動機２０ａ〜２０ｃが、無線情報をＲＦＩＤデータ管理サーバ３０に通知するだけで、状態が決定される。そして、移動機２０ａ〜２０ｃが決定された状態を受信して出力することにより、ユーザは決定された状態を把握できる。よって、ユーザは状態を手動設定する必要がなく、容易にリアルタイムな状態の反映を行うことができ、多様化、詳細化した状態にも対応できる。
【０１１２】
［第２の実施の形態］
〔状態管理システム〕
図１１に示すように、状態管理システム２００は、無線タグ２１０ａと、複数の移動機２２０ａ，２０ｂと、ＲＦＩＤデータ管理サーバ２３０と、状態管理サーバ４０と、移動体ネットワーク５０とを備える。無線タグ２１０ａは、無線情報としてＲＦＩＤ「ｑｒｓｔ」を送信する以外は、図１に示した無線タグ１０ａと同様である。
【０１１３】
移動機２２０ａは、タグリーダ２１と、通信部２２と、出力部２３と、入力部２４と、記憶部２２５と、制御部２２６と、バイブレータ２２７とを備える。タグリーダ２１、通信部２２、出力部２３、入力部２４は、図１と同様であるため、同一の符号を付して説明を省略する。バイブレータ２２７は、振動することにより移動機２２０ａのユーザ２０１ａに、着信などを知らせる振動手段である。
【０１１４】
記憶部２２５は、状態と、動作モードとの対応関係を記憶する。動作モードには、音により着信を知らせる通常待ち受け、振動により着信を知らせるマナーモード、運転中であることを発信者に伝える応答を行うドライブモード、移動機において留守番電話による応対を行う移動機留守電、移動体ネットワーク５０において留守番電話による対応を行うネットワーク留守電などがある。又、記憶部２２５は、ドライブモードや移動機留守電における応答メッセージを記憶する。
【０１１５】
制御部２２６は、状態受信手段である通信部２２が、状態決定装置であるＲＦＩＤデータ管理サーバ２３０から状態に基づく動作モードの指示を受信する場合には、通信部２２が受信した動作モードの指示に基づいて、動作モードを制御するモード制御手段として機能する。あるいは、制御部２２６は、通信部２２が動作モードの指示を受信しない場合には、通信部２２が受信した状態に基づいて、動作モードを制御するモード制御手段として機能する。この場合、制御部２２６は、通信部２２が受信した状態に基づいて動作モードを自ら決定し、決定した動作モードに従って動作モードを制御する。
【０１１６】
具体的には、通信部２２は、動作モードの指示を含む状態取得応答又は動作モードの指示を含まない状態取得応答を、移動体ネットワーク５０を介して、ＲＦＩＤデータ管理サーバ２３０から受信する。制御部２２６は、通信部２２２から状態取得応答を取得する。制御部２２６は、状態取得応答に動作モードの指示が含まれている場合には、その動作モードの指示に従って、バイブレータ２２７や通信部２２２を制御する。制御部２２６は、状態取得応答に動作モードの指示が含まれていない場合には、記憶部２２５を参照することにより、状態取得応答に含まれる状態に対応する動作モードを決定する。制御部２２６は、決定した動作モードに従って、バイブレータ２２７や通信部２２２を制御する。
【０１１７】
指示された動作モードや決定した動作モードがマナーモードの場合には、制御部２２６はバイブレータ２２７をオンにする。又、指示された動作モードや決定した動作モードがネットワーク留守電の場合には、制御部２２６は、着信があったときに通信部２２２を制御し、移動体ネットワーク５０に接続させる。更に、指示された動作モードや決定した動作モードがドライブモードや移動機留守電の場合には、制御部２２６は、着信があったときに記憶部２２５から応答メッセージを取得し、通信部２２２を制御して応答メッセージを送信させる。
【０１１８】
又、現在の動作モードがマナーモード、ドライブモード、移動機留守電、ネットワーク留守電で、指示された動作モードや決定した動作モードが通常待ち受けの場合には、制御部２２６は、バイブレータ２２７をオフにし、マナーモード、ドライブモード、移動機留守電、ネットワーク留守電を解除する。制御部２２６は、現在の動作モードと指示された動作モードが一致する場合には、動作モードの変更は行わない。
【０１１９】
このように、移動機２２０ａは、通信部２２が受信した動作モードの指示や状態に基づいて、動作モードを自動的に切り替えることができる。尚、制御部２２６は、ユーザ２０１ａの意思により、ＲＦＩＤデータ管理サーバ２３０から動作モードの指示を含む状態取得応答を取得しても、動作モードの指示を拒否し、動作モードを変更しないよう設定することもできる。記憶部２２５、制御部２２６は、これらの点以外は、図１に示した記憶部２５、制御部２６と同様である。
【０１２０】
ＲＦＩＤデータ管理サーバ２３０は、ＲＦＩＤデータベース２３１と、通信部３２と、制御部２３３とを備える。通信部３２は、図１と同様であるため、同一の符号を付して説明を省略する。ＲＦＩＤデータベース２３１は、状態、詳細情報、付加情報に加えて、動作モードを無線情報に対応付けて記憶する。ＲＦＩＤデータベース２３１は、１つの無線情報に対応付けて、複数の動作モードを記憶してもよい。
【０１２１】
図１１に示すＲＦＩＤデータベース２３１では、無線情報としてＲＦＩＤを用い、無線情報以外の条件として時間帯を用いる。ＲＦＩＤデータベース２３１は、ＲＦＩＤをキーとして、ＲＦＩＤに対応付けて、状態、詳細情報、付加情報、動作モードを記憶する。更に、ＲＦＩＤデータベース２３１は、ＲＦＩＤ毎に、各時間帯に対応付けて、状態、詳細情報、付加情報、動作モードを記憶する。ＲＦＩＤデータベース２３１は、無線タグ設置者により設定された無線情報、詳細情報、付加情報、動作モードを記憶する。
【０１２２】
制御部２３３は、決定した状態に基づいて、移動機２２０ａの動作モードを決定するモード決定手段、モード決定手段が決定した動作モードで動作するよう移動機に指示するモード指示手段として機能する。制御部２３３は、状態取得要求に含まれる無線情報と、期間、気温、天気などの無線情報以外の条件に基づいてＲＦＩＤデータベース２３１を参照することにより、状態、詳細情報、付加情報、動作モードを決定する。
【０１２３】
具体的には、制御部２３３は、取得したＲＦＩＤと時間に基づいてＲＦＩＤデータベース２３１を参照し、ＲＦＩＤと時間帯に対応付けられている状態、詳細情報、付加情報、動作モードを、そのユーザの状態、その詳細情報、提供する付加情報、移動機の動作モードに決定する。図１１では、状態取得要求に含まれるＲＦＩＤが「ｑｒｓｔ」、時間が１０時であるとすると、状態を「映画鑑賞中」、詳細情報を「映画館Ｅ」、付加情報を「○×上映中」、動作モードを「マナーモード」に決定する。尚、制御部２３３は、１つの無線情報に対して、複数の動作モードを決定してもよい。制御部２３３は、決定した状態、詳細情報、付加情報、動作モードを含む状態取得応答を生成し、通信部３２に入力して移動機２２０ａに送信するよう指示することにより、決定した動作モードで動作するよう移動機２２０ａに指示できる。
【０１２４】
このように、制御部２３３は、移動機２２０ａが無線タグ２１０ａから無線情報を受信したことを契機として、無線情報を受信した移動機２２０ａの動作モードを決定し、自動的に遷移させる。更に、制御部２３３は、無線情報に加えて、期間、気温、天候などの無線情報以外の条件により動作モードを決定することにより、同じ無線情報であっても無線情報以外の条件により動作モードを変更できる。制御部２２３は、これらの点以外は、図１に示した制御部２３と同様である。
【０１２５】
状態「映画鑑賞中」、詳細情報「映画館Ｅ」、付加情報「○×上映中」、動作モード「マナーモード」を含む状態取得応答を受信した移動機２２０ａの制御部２２６は、バイブレータ２２７をオンにして動作モードをマナーモードに設定する。更に、出力部２３は、図１２（ａ）に示す出力部２３の画面のように、ユーザ２０１ａ自身の状態として「映画鑑賞中」を表示する。更に、出力部２３は、図１２（ｂ）に示す出力部２３の画面のように、ユーザ２０１ａのユーザ名「しん」、顔の画像、状態「映画鑑賞中」、詳細情報「映画館Ｅ」、ＲＦＩＤデータ管理サーバ２３０が提供する付加情報「○×上映中」を表示する。更に、出力部２３は、マナーモードであることを示す「Ｍ」を表示する。
【０１２６】
状態管理サーバ４０は、状態データベース４１が、ユーザ２０１ａのユーザＩＤ「０９０−３２３４−５６７８」に対応付けて、状態「映画鑑賞中」、ＲＦＩＤ「ｑｒｓｔ」を記憶している以外は、図１と同様である。
【０１２７】
図１３に示すように、ＲＦＩＤデータベース２３１に、動作モードが設定される。ＲＦＩＤデータベース２３１には、通常待ち受け、マナーモード、ドライブモード、移動機留守電、ネットワーク留守電の中から、タグ設置者が選択した動作モードが設定される。例えば、無線情報に対応付けられる状態が映画鑑賞中や電車移動中の場合には、マナーモードや、ネットワーク留守電が設定される。ＲＦＩＤ、時間帯、状態、詳細情報、付加情報については図６と同様である。
【０１２８】
〔状態管理方法〕
図１１に示した状態管理システム２００を用いて行う状態管理方法の手順について説明する。まず、図１４に示すように、ステップ（Ｓ３０１）〜（Ｓ３０４）が行われる。ステップ（Ｓ３０１）〜（Ｓ３０４）は、図９に示したステップ（Ｓ１０１）から（Ｓ１０４）と同様である。ＲＦＩＤデータ管理サーバ２３０は、受信した状態取得要求に含まれるＲＦＩＤに基づいて、移動機２２０ａのユーザ２０１ａの状態、移動機２２０ａの動作モードを決定する（Ｓ３０５）。次に、ステップ（Ｓ３０６）〜（Ｓ３０８）が行われる。ステップ（Ｓ３０６）〜（Ｓ３０８）は、図９に示したステップ（Ｓ１０６）から（Ｓ１０８）と同様である。
【０１２９】
Ａｃｋを受信したＲＦＩＤデータ管理サーバ２３０は、状態取得応答を移動機２２０ａに送信して、決定した状態を通知し、決定した詳細情報や付加情報を提供し、決定した動作モードで動作するように指示する（Ｓ３０９）。状態取得応答を受信した移動機２２０ａは、状態取得応答に含まれる状態、詳細情報、付加情報を出力部２３に表示する。更に、移動機２２０ａは、状態取得応答に含まれる動作モードで動作するように制御する（Ｓ３１０）。最後に、ステップ（Ｓ３１１）、（Ｓ３１２）が行われる。ステップ（Ｓ３１１）、（Ｓ３１２）は、図９に示したステップ（Ｓ１１１）、（Ｓ１１２）と同様である。
【０１３０】
〔効果〕
このような状態管理システム２００、ＲＦＩＤデータ管理サーバ２３０、状態管理サーバ４０、移動機２２０ａ、状態管理方法によれば、第１の実施の形態に示した状態管理システム１００、ＲＦＩＤデータ管理サーバ３０、状態管理サーバ４０、移動機２０ａ〜２０ｃ、状態管理方法によって得られる効果に加えて、以下のような効果が得られる。
【０１３１】
ＲＦＩＤデータ管理サーバ３０は、制御部２３３が決定した状態に基づいて、移動機２２０ａの動作モードを決定し、決定した動作モードで動作するよう移動機２２０ａに指示する。そのため、ＲＦＩＤデータ管理サーバ２３０は、決定した状態に基づいて移動機２２０ａの動作モードを決定し、指示することができる。よって、ＲＦＩＤデータ管理サーバ２３０は、ユーザの状態に応じて移動機２２０ａの動作モードを制御できる。
【０１３２】
又、移動機２２０ａは、通信部２２が、ＲＦＩＤデータ管理サーバ２３０から状態に基づく動作モードの指示を受信し、制御部２２６が、通信部２２が受信した動作モードの指示に基づいて、動作モードを制御する。そのため、移動機２２０ａは、ＲＦＩＤデータ管理サーバ２３０からの状態に基づく動作モードの指示に従って、動作モードを制御できる。又、制御部２２６は、通信部２２が受信した状態に基づいて、動作モードを制御することもできる。そのため、移動機２２０ａは、決定されたユーザの状態に応じて動作モードを制御できる。これらの結果、移動機２２０ａは、状態に応じた動作モードの変更を手動で行う必要がなく、ユーザの状態遷移と連動した動作モードの変更を行うことができる。
【０１３３】
［変更例］
本発明は、上記第１、第２の実施の形態に限定されるものではなく、種々の変更が可能である。例えば、ユーザ毎に無線情報に対応する状態や詳細情報、動作モードを設定してもよい。具体的には、ＲＦＩＤデータベース３１，２３１は、無線情報毎に、各ユーザ識別データに対応付けて状態や詳細情報、動作モードを記憶する。そして、制御部３３，２３３は、無線情報と、ユーザ識別データに基づいて、状態、詳細情報、動作モードを決定する。この場合、状態としてユーザの感情を設定することもできる。
【０１３４】
又、状態や詳細情報、付加情報をＲＦＩＤデータ管理サーバ３０，３３０や状態管理サーバ４０から受信した移動機同士が、受信した状態や詳細情報、付加情報を通知しあってもよい。更に、移動機は、ＲＦＩＤデータ管理サーバ３０，２３０が決定した状態が誤っている場合や、状態管理サーバ４０に状態が記憶されていない場合などに、状態管理サーバ４０に、移動機のユーザが設定した状態を含む登録要求を送信して、状態の登録を要求してもよい。状態管理サーバ４０は、移動機から登録要求を受信した場合には、登録要求に基づいて、状態データベース４１を更新する。
【０１３５】
又、図１、図１１では、ＲＦＩＤデータ管理サーバ３０，２３０と、状態管理サーバ４０は別々に設置されているが、ＲＦＩＤデータ管理サーバ３０，２３０と、状態管理サーバ４０双方の機能を備えるサーバを設置してもよい。この場合、ＲＦＩＤデータ管理サーバ３０，２３０と、状態管理サーバ４０との間で、移動体ネットワーク５０を介して行っていたやりとりは不要となり、そのやりとりに必要な機能も不要となる。
【０１３６】
更に、状態管理サーバ４０が記憶する状態を削除するための無線通信装置を設置することもできる。移動機が状態を削除するための無線通信装置の無線情報を受信した場合には、ＲＦＩＤデータ管理サーバ３０，２３０は、移動機のユーザの状態を「状態なし」に決定し、移動機に通知する。又、ＲＦＩＤデータ管理サーバ３０，２３０は、状態管理サーバ４０にその移動機のユーザの状態の削除を指示し、状態管理サーバ４０は、そのユーザの状態を削除する。又、移動機は、所定時間、無線情報を受信しなかった場合には、状態管理サーバ４０に、状態の削除を要求する削除要求を送信してもよい。削除要求を受信した状態管理サーバ４０は、そのユーザの状態を削除する。
【０１３７】
又、状態管理サーバ４０は、１又は複数のユーザの状態を周期的に移動機２０ａ〜２０ｃ，２２０ａに通知するようにしてもよい。以下、状態の通知先となるユーザを「通知先ユーザ」、通知先ユーザにその状態を通知するユーザを「特定ユーザ」という。この場合、状態管理サーバ４０は、通知先ユーザのユーザ識別データと、その通知先ユーザに状態を通知する１又は複数の特定ユーザのユーザ識別データとを対応付けて記憶する通知情報データベースを備える。
【０１３８】
制御部４３は、周期的に特定ユーザの状態を通知先ユーザが使用する移動機に通知するように、通信部４２を制御する。制御部４３は、周期的に、通知先ユーザのユーザ識別データに基づいて、通知情報データベースを参照し、通知先ユーザのユーザ識別データに対応付けられている特定ユーザのユーザ識別データを取得する。制御部４３は、取得した特定ユーザのユーザ識別データに基づいて、状態データベース４１を参照し、特定ユーザの状態を取得する。制御部４３は、特定ユーザのユーザ識別データに対応付けてその状態を通信部４２に入力し、通知先ユーザに特定ユーザの状態を送信するよう通信部４２に周期的に指示をする。そして、通信部４２が、制御部４３の指示に従って、通知先ユーザの移動機に、１又は複数の特定ユーザの状態を周期的に通知する。
【０１３９】
又、移動機２０ａ〜２０ｃ，２２０ａの制御部２６，２２６は、無線情報の変更を検出せずに、タグリーダ２１が無線情報を受信する毎に状態取得要求を生成し、通信部２２が無線情報を通知してもよい。又、制御部２６は、変更を検出した場合に加えて、周期的に状態取得要求を生成し、通信部２２が無線情報を周期的に通知してもよい。移動機２０ａ〜２０ｃ，２２０ａが、無線情報の変更を検出せずに受信した無線情報を全て通知する場合、ＲＦＩＤデータ管理サーバ３０，２３０が無線情報の変更を検出し、変更を検出した場合にだけ新たな無線情報に基づいて状態や詳細情報、付加情報、動作モードを決定してもよい。
【０１４０】
例えば、ＲＦＩＤデータ管理サーバ３０，２３０の制御部３３，２３３が、状態管理サーバ４０に、無線情報を通知してきた移動機２０ａ〜２０ｃ，２２０ａのユーザについて、状態管理サーバ４０が記憶する無線情報を要求する無線情報要求を生成し、通信部３２に入力する。無線情報要求には、無線情報を通知してきた移動機２０ａ〜２０ｃ，２２０ａのユーザ識別データが含まれる。通信部３２が無線情報要求を状態管理サーバ４０に送信し、状態管理サーバ４０の通信部４２が無線情報要求を受信する。制御部４３は、受信した無線情報要求に含まれるユーザ識別データに基づいて、状態データベース４１からそのユーザの無線情報を取得する。制御部４３は、取得した無線情報を含む無線情報応答を生成して通信部４２に入力する。通信部４２が無線情報応答をＲＦＩＤデータ管理サーバ３０，２３０に送信し、ＲＦＩＤデータ管理サーバ３０，２３０の通信部３２が受信する。そして、制御部３３，２３３は、受信した無線情報応答に含まれる無線情報と、移動機２０ａ〜２０ｃ，２２０ａから通知された無線情報を比較することにより、無線情報の変更を検出できる。
【図面の簡単な説明】
【０１４１】
【図１】本発明の第１の実施の形態に係る状態管理システムの構成を示す図である。
【図２】本発明の第１の実施の形態に係る出力部の画面を示す図である。
【図３】本発明の第１の実施の形態に係る複数の無線タグからＲＦＩＤを受信する場合の状態管理システムを示す図である。
【図４】本発明の第１の実施の形態に係る複数の無線タグからＲＦＩＤを受信した場合の出力部の画面を示す図である。
【図５】本発明の第１の実施の形態に係る状態の種類と設置対象物との対応を示す表である。
【図６】本発明の第１の実施の形態に係るＲＦＩＤデータベースへの設定を説明する図である。
【図７】本発明の第１の実施の形態に係る設置対象物、状態、詳細情報、付加情報の例を示す図である。
【図８】本発明の第１の実施の形態に係るユーザ、タグ設置者、通信事業者の関係を示す図である。
【図９】本発明の第１の実施の形態に係る状態管理方法の手順を示すシーケンス図である。
【図１０】本発明の第１の実施の形態に係る他のユーザの状態参照の手順を示すシーケンス図である。
【図１１】本発明の第２の実施の形態に係る状態管理システムの構成を示す図である。
【図１２】本発明の第２の実施の形態に係る出力部の画面を示す図である。
【図１３】本発明の第２の実施の形態に係るＲＦＩＤデータベースへの設定を説明する図である。
【図１４】本発明の第２の実施の形態に係る状態管理方法の手順を示すシーケンス図である。
【符号の説明】
【０１４２】
１０ａ〜１０ｍ，２１０ａ  無線タグ
２０ａ，２０ｂ，２０ｃ，２２０ａ  移動機
２１  タグリーダ
２２  通信部
２３  出力部
２４  入力部
２５，２２５  記憶部
２６，２２６  制御部
３０，２３０  ＲＦＩＤデータ管理サーバ
３１，２３１  ＲＦＩＤデータベース
３２  通信部
３３，２３３  制御部
４０  状態管理サーバ
４１  状態データベース
４２  通信部
４３  制御部
４４  課金部
５０  移動体ネットワーク
１００，２００  状態管理システム
２２７  バイブレータ
【図１】
2008125099.tif 000003
【図２】
2008125099.tif 000004
【図３】
2008125099.tif 000005
【図４】
2008125099.tif 000006
【図５】
2008125099.tif 000007
【図６】
2008125099.tif 000008
【図７】
2008125099.tif 000009
【図８】
2008125099.tif 000010
【図９】
2008125099.tif 000011
【図１０】
2008125099.tif 000012
【図１１】
2008125099.tif 000013
【図１２】
2008125099.tif 000014
【図１３】
2008125099.tif 000015
【図１４】
2008125099.tif 000016
【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
第１移動機が、近距離無線通信を用いて無線通信装置から無線情報を受信する工程Ａと、
無線情報と詳細情報とを関連付けて記憶する無線情報記憶部を具備する状態管理システムが、前記第１移動機によって送信された前記無線情報を受信する工程Ｂと、
前記状態管理システムが、前記無線情報記憶部を参照して、受信した前記無線情報に関連付けられている詳細情報を取得する工程Ｃと、
前記状態管理システムが、取得された前記詳細情報と前記第１移動機を識別する識別情報とを関連付けて記憶する工程Ｄとを有し、
前記状態管理システムは、前記工程Ｂにおいて、第１カテゴリーに分類されている複数の第１無線情報を受信した場合、前記工程Ｃにおいて、前記無線情報記憶部から、前記複数の第１無線情報の各々に関連付けられている複数の第１詳細情報の中から１つの第１詳細情報を取得し、前記工程Ｄにおいて、取得した該１つの第１詳細情報と前記第１移動機を識別する識別情報とを関連付けて記憶し、
前記状態管理システムは、前記工程Ｂにおいて、第２カテゴリーに分類されている複数の第２無線情報を受信した場合、前記工程Ｃにおいて、前記無線情報記憶部から、前記複数の第２無線情報の各々に関連付けられている複数の第２詳細情報を取得し、前記工程Ｄにおいて、取得した該複数の第２詳細情報と前記第１移動機を識別する識別情報とを関連付けて記憶し、
前記状態管理システムは、前記工程Ｂにおいて、前記第１カテゴリーに分類されている１つの第１無線情報及び前記第２カテゴリーに分類されている１つ又は複数の第２無線情報を受信した場合、前記工程Ｃにおいて、前記無線情報記憶部から、前記第１無線情報に関連付けられている１つの第１詳細情報及び前記第２無線情報に関連付けられている１つ又は複数の第２詳細情報を取得し、前記工程Ｄにおいて、取得した該１つの第１詳細情報及び該１つ又は複数の第２詳細情報と前記第１移動機を識別する識別情報とを関連付けて記憶することを特徴とする状態管理方法。
【請求項２】
前記第１移動機は、近距離無線通信を用いて前記無線通信装置から受信した無線情報のうち、前回受信した無線情報と異なる無線情報のみを、前記状態管理システムに送信することを特徴とする請求項１に記載の状態管理方法。
【請求項３】
前記無線情報記憶部は、前記無線情報と前記詳細情報と時間帯とを関連付けて記憶しており、
前記工程Ｃにおいて、前記状態管理システムは、前記無線情報記憶部を参照して、受信した前記無線情報及び該無線情報の受信時刻が含まれる時間帯に関連付けられている詳細情報を取得することを特徴とする請求項１に記載の状態管理方法。
【請求項４】
無線情報と詳細情報とを関連付けて記憶する無線情報記憶部と、
第１移動機によって送信された無線情報を受信する受信部と、
前記無線情報記憶部を参照して、受信した前記無線情報に関連付けられている詳細情報を取得する取得部と、
取得された前記詳細情報と前記第１移動機を識別する識別情報とを関連付けて記憶する状態記憶部とを具備し、
前記受信部が、第１カテゴリーに分類されている複数の第１無線情報を受信した場合、前記取得部は、前記無線情報記憶部から、前記複数の第１無線情報の各々に関連付けられている複数の第１詳細情報の中から１つの第１詳細情報を取得し、前記状態記憶部は、前記取得部により取得された該１つの第１詳細情報と前記第１移動機を識別する識別情報とを関連付けて記憶するように構成されており、
前記受信部が、第２カテゴリーに分類されている複数の第２無線情報を受信した場合、前記取得部は、前記無線情報記憶部から、前記複数の第２無線情報の各々に関連付けられている複数の第２詳細情報を取得し、前記状態記憶部は、前記取得部により取得された該複数の第２詳細情報と前記第１移動機を識別する識別情報とを関連付けて記憶するように構成されており、
前記受信部が、前記第１カテゴリーに分類されている１つの第１無線情報及び前記第２カテゴリーに分類されている１つ又は複数の第２無線情報を受信した場合、前記取得部は、前記無線情報記憶部から、前記第１無線情報に関連付けられている１つの第１詳細情報及び前記第２無線情報に関連付けられている１つ又は複数の第２詳細情報を取得し、前記状態記憶部は、前記取得部により取得された該１つの第１詳細情報及び該１つ又は複数の第２詳細情報と前記第１移動機を識別する識別情報とを関連付けて記憶するように構成されており、
前記無線情報は、前記第１移動機によって近距離無線通信を用いて無線通信装置から受信されるように構成されていることを特徴とする状態管理システム。
【請求項５】
前記無線情報記憶部は、前記無線情報と前記詳細情報と時間帯とを関連付けて記憶しており、
前記取得部は、前記無線情報記憶部を参照して、受信した前記無線情報及び該無線情報の受信時刻が含まれる時間帯に関連付けられている詳細情報を取得するように構成されていることを特徴とする請求項４に記載の状態管理システム。